(57)【要約】【課題】簡便でコンパクトな接続緩み防止具を提供する。【解決手段】所定形状の円弧状部材１０及び円弧状部材２０を連結して接続緩み防止具１００を構成し、メス型コネクタ８０のテーパ部８１を円弧状部材２０の内辺２１で支持させ、コネクタ４０による接続を確立させながら円弧状部材１０を鍔部６２に押し当てるか、又は該接続の確立後、テーパ部８１を内辺２１で支持させ、円弧状部材１０の開口部１４を円管部６３に押し当てることにより、接続緩み防止具１００をコネクタ４０に装着するようにする。【選択図】図３
0003166298.tif 000002
【実用新案登録請求の範囲】
【請求項１】
輸液容器及び輸液チューブを接続するコネクタに装着され、該コネクタによる接続が緩むのを防止する接続緩み防止具であって、
前記コネクタは、前記輸液容器側のオス型コネクタのテーパ面と、前記輸液チューブ側のメス型コネクタのテーパ面とを嵌合させることにより接続を確立するものであり、前記オス型コネクタは、基端部に設けられたフランジ状の鍔部及び該鍔部から延びた円管部を介して前記輸液容器に接続しており、前記メス型コネクタは、基端部において、前記輸液チューブにかけて径が縮小するテーパ部を備え、
前記接続緩み防止具は、
中心角が１８０°よりも大きな円弧状の内辺、及び該内辺から外辺へ移行する部分で構成される開口部をそれぞれが有する第１及び第２の円弧状部材と、
前記第１円弧状部材及び第２円弧状部材を所定の間隔で対向するように連結している連結部材とを備え、
前記第１円弧状部材は弾性変形が可能であり、
前記第１円弧状部材の内辺は、前記鍔部の径よりも小さくかつ前記円管部の外径と同等か又は該外径よりも大きな径を有し、
前記第１円弧状部材の開口部は、前記円管部の外径よりも小さい最小幅を有し、
前記第２円弧状部材の内辺は、前記輸液チューブの外径よりも大きく、かつ前記テーパ部の最大径よりも小さい径を有し、
前記第２円弧状部材の開口部は、前記輸液チューブが通過し得る幅を有し、
前記接続緩み防止具は、前記コネクタへの装着がなされたとき、前記第２円弧状部材の内辺が前記メス型コネクタのテーパ部を支持し、前記第１円弧状部材が前記円管部を包囲しかつ前記鍔部に接することを特徴とする接続緩み防止具。
【請求項２】
前記第１円弧状部材は、該第１円弧状部材の内辺の軸を中心軸とし、該軸に沿った外側に向かって径が拡大する部分テーパ面を備え、該部分テーパ面側が前記鍔部の前記円管部とは反対側に押し当てられたとき、該部分テーパ面が該鍔部から受ける力により弾性的に拡大し、該鍔部を乗り越え、そして元の大きさに戻ることにより、前記円管部の包囲を行うものであることを特徴とする請求項１に記載の接続緩み防止具。
【請求項３】
前記第１円弧状部材は、前記第１円弧状部材の開口部が前記円管部に押し当てられたとき、弾性変形し、該開口部が該円管部を乗り越え、そして元の状態に戻ることにより、前記円管部の包囲を行うものであることを特徴とする請求項１又は２に記載の接続緩み防止具。
【請求項４】
前記連結部材はその内側に、前記メス型コネクタを、前記メス型コネクタのテーパ部が前記第２円弧状部材の内辺により支持されるようにして配置することができる形状を有しており、該形状は、該配置を行ったとき、該メス型コネクタの外形に該連結部材の内形が適合し、かつ前記第１円弧状部材の内辺の中心及び第２円弧状部材の内辺の中心を通る直線上に該メス型コネクタの軸が一致するような形状であることを特徴とする請求項１〜３のいずれか１項に記載の接続緩み防止具。
【考案の詳細な説明】
【技術分野】
【０００１】
本考案は、輸液容器及び輸液チューブを接続する輸液用コネクタに装着され、該輸液用コネクタによる接続が緩むのを防止する接続緩み防止具に関する。
【背景技術】
【０００２】
従来、患者に供給する各種薬液などが充填された輸液容器に輸液用チューブを接続する技術として、輸液用チューブが輸液容器から脱落するのを防止するようにしたものが知られている。
【０００３】
たとえば、特許文献１には、回路チューブの端部に設けられた穿刺針を、輸液バッグ等の連結部材に穿刺することにより輸液バッグ等に回路チューブを接続する技術が記載されている。この技術においては、回路チューブの接続時に、穿刺針の基端に固定された挟板又は有底円筒体の先端により輸液バッグの連結部材を挟むことによって、穿刺針が連結部材から離脱するのを防止するようにしている。
【０００４】
また、特許文献２には、点滴チューブの端部に設けられた点滴針を点滴容器の蓋に突き刺すことにより、点滴チューブを点滴容器に接続する技術が記載されている。この技術においては、点滴チューブを接続した後、クリップ型の点滴針ホルダにより、点滴容器の基端部と、点滴チューブとを同時に挟むことにより、点滴針が点滴容器の蓋から抜け落ちるのを防止するようにしている。
【先行技術文献】
【特許文献】
【０００５】
【特許文献１】実開平４−８３２５５号公報
【特許文献２】特許第３０２２４３２号公報
【考案の概要】
【考案が解決しようとする課題】
【０００６】
しかしながら、上述の挟板又は有底円筒体による穿刺針の離脱防止技術によれば、挟板又は有底円筒体が回路チューブの穿刺針に固定されているため、回路チューブ毎に挟板又は有底円筒体を設ける必要がある。また、挟板又は有底円筒体は、輸液バッグ等の連結部材を、両側から挟む構造を有しているため、構成が複雑で、大きな体積を占める。
【０００７】
また、上述のクリップ型の点滴針ホルダにより点滴針の抜け落ちを防止する技術によれば、点滴針ホルダは、握り部と挟持部を有するクリップ型のものであるため、やはり複雑な構成を有し、大きな体積を占めるという不都合がある。
【０００８】
本考案の目的は、かかる従来技術の問題点に鑑み、簡便でコンパクトな接続緩み防止具を提供することにある。
【課題を解決するための手段】
【０００９】
上記目的を達成するため、本考案に係るコネクタ抜け防止具は、輸液容器及び輸液チューブを接続するコネクタに装着され、該コネクタによる接続が緩むのを防止する接続緩み防止具であって、前記コネクタは、前記輸液容器側のオス型コネクタのテーパ面と、前記輸液チューブ側のメス型コネクタのテーパ面とを嵌合させることにより接続を確立するものであり、前記オス型コネクタは、基端部に設けられたフランジ状の鍔部及び該鍔部から延びた円管部を介して前記輸液容器に接続しており、前記メス型コネクタは、基端部において、前記輸液チューブにかけて径が縮小するテーパ部を備え、前記接続緩み防止具は、中心角が１８０°よりも大きな円弧状の内辺、及び該内辺から外辺へ移行する部分で構成される開口部をそれぞれが有する第１及び第２の円弧状部材と、前記第１円弧状部材及び第２円弧状部材を所定の間隔で対向するように連結している連結部材とを備え、前記第１円弧状部材は弾性変形が可能であり、前記第１円弧状部材の内辺は、前記鍔部の径よりも小さくかつ前記円管部の外径と同等か又は該外径よりも大きな径を有し、前記第１円弧状部材の開口部は、前記円管部の外径よりも小さい最小幅を有し、前記第２円弧状部材の内辺は、前記輸液チューブの外径よりも大きく、かつ前記テーパ部の最大径よりも小さい径を有し、前記第２円弧状部材の開口部は、前記輸液チューブが通過し得る幅を有し、前記接続緩み防止具は、前記コネクタへの装着がなされたとき、前記第２円弧状部材の内辺が前記メス型コネクタのテーパ部を支持し、前記第１円弧状部材が前記円管部を包囲しかつ前記鍔部に接することを特徴とする。
【００１０】
これによれば、接続緩み防止具は所定形状を有する第１円弧状部材及び第２円弧状部材と、これらを連結する連結部材とで構成されるので、接続緩み防止具を簡便でコンパクトなものとすることができる。
【００１１】
また、コネクタへの装着がなされたとき、第２円弧状部材の内辺がメス型コネクタのテーパ部を支持し、第１円弧状部材が円管部を包囲しかつオス型コネクタの鍔部に接するので、メス型コネクタ及びオス型コネクタは、第１円弧状部材及び第２円弧状部材により挟まれ、固定された状態となり、コネクタによる接続が緩むのを確実に防止することができる。
【００１２】
本考案においては、前記第１円弧状部材は、該第１円弧状部材の内辺の軸を中心軸とし、該軸に沿った外側に向かって径が拡大する部分テーパ面を備え、該部分テーパ面側が前記鍔部の前記円管部とは反対側に押し当てられたとき、該部分テーパ面が該鍔部から受ける力により弾性的に拡大し、該鍔部を乗り越え、そして元の大きさに戻ることにより、前記円管部の包囲を行うものであってもよい。
【００１３】
これによれば、接続緩み防止具内にメス型コネクタを配置して第２円弧状部材の内辺によりメス型コネクタのテーパ部を支持し、メス型コネクタがオス型コネクタに接続する方向に接続緩み防止具を押圧するだけで、コネクタによる接続の確立及び接続緩み防止具の装着を同時に行うことができる。
【００１４】
また、本考案においては、前記第１円弧状部材は、前記第１円弧状部材の開口部が前記円管部に押し当てられたとき、弾性変形し、該開口部が該円管部を乗り越え、そして元の状態に戻ることにより、前記円管部の包囲を行うものであってもよい。
【００１５】
これによれば、接続が確立したメス型コネクタがオス型コネクタに対し、第２円弧状部材の内辺によりメス型コネクタのテーパ部を支持し、第１円弧状部材の開口部を円管部に押し当てることにより、接続緩み防止具を横方向から装着することもできる
さらに、本考案においては、前記連結部材はその内側に、前記メス型コネクタを、前記メス型コネクタのテーパ部が前記第２円弧状部材の内辺により支持されるようにして配置することができる形状を有しており、該形状は、該配置を行ったとき、該メス型コネクタの外形に該連結部材の内形が適合し、かつ前記第１円弧状部材の内辺の中心及び第２円弧状部材の内辺の中心を通る直線上に該メス型コネクタの軸が一致するような形状であってもよい。
【００１６】
これによれば、メス型コネクタのテーパ部を第２円弧状部材の内辺により支持し、接続緩み防止具をオス型コネクタの方へ押圧することにより、コネクタによる接続の確立及び接続緩み防止具の装着を同時に行う操作を、連結部材内にメス型コネクタを配置し、オス型コネクタの方へ押圧することにより、極めて容易に行うことができる。
【図面の簡単な説明】
【００１７】
【図１】本考案の一実施形態に係る接続緩み防止具の５面図である。
【図２】図１の接続緩み防止具をコネクタに装着した様子を示す説明図である。
【図３】図３は図１の接続緩み防止具をコネクタによる接続を確立しながら、コネクタに装着する手順を示す説明図である。
【考案を実施するための形態】
【００１８】
以下、図面を用いて本考案の実施形態を説明する。図１は本考案の一実施形態に係る接続緩み防止具の５面図である。同図（ａ）は平面図、同図（ｂ）は正面図、同図（ｃ）は底面図、同図（ｄ）は左側面図、そして同図（ｅ）は右側面図である。この接続緩み防止具は、輸液容器及び輸液チューブを接続するコネクタに装着され、該コネクタによる接続が緩むのを防止するものである。
【００１９】
同図に示すように、接続緩み防止具１００は、平板状で円弧状の円弧状部材１０と、これに所定間隔を置いて対向する平板状で円弧状の円弧状部材２０と、円弧状部材１０及び円弧状部材２０を所定の間隔を置いて対向するように連結し、長さ方向に垂直な断面がＵ字状である連結部材３０とを備える。
【００２０】
図中の３１は上述のコネクタに接続緩み防止具１００を装着する際に、操作者の手で装着方向に押し易いようにするための畝状の凸部である。畝状凸部３１は連結部材３０の長さ方向に交差する方向の一方の側端から他方の側端にかけて設けられている。３２は接続緩み防止具１００を装着する操作の便宜に供するために畝状凸部３１の中央の位置に設けられた部分球状の凸部である。
【００２１】
図２は輸液容器５０及び輸液チューブ７０間の接続を確立したコネクタ４０に接続緩み防止具１００を装着した様子を示す。同図（ａ）では接続緩み防止具１００を図１（ｂ）と同じ側から見た様子が示されており、同図（ｂ）では図１（ｃ）と同じ側から見た様子が示されている。
【００２２】
図２に示すように、コネクタ４０は、輸液容器５０の出口に設けられたオス型コネクタ６０と、輸液チューブ７０の端部に設けられたメス型コネクタ８０とで構成される。オス型コネクタ６０は外側にテーパ面６１を備え、メス型コネクタ８０は内側に、テーパ面６１に対応する図示していないテーパ面を備える。コネクタ４０は、オス型コネクタ６０のテーパ面６１と、メス型コネクタ８０のテーパ面とを嵌合させることにより接続が確立されるようになっている。
【００２３】
輸液容器５０としては、たとえば、経腸投与する栄養剤が充填された栄養ボトルが該当する。オス型コネクタ６０としては、たとえば、オス側のカテーテルテーパを有するものが該当する。この場合、メス型コネクタ８０としては、軟質系の弾性素材等で構成されたメス側のカテーテルテーパを有するものが用いられる。オス型コネクタ６０とメス型コネクタ８０とが接続された場合、カテーテルテーパ間の摩擦力により接続が維持されるようになっている。
【００２４】
オス型コネクタ６０は、基端部に設けられたフランジ状の鍔部６２と、鍔部６２から延びた円管部６３とを介して輸液容器５０に接続している。メス型コネクタ８０は、基端部において、輸液チューブ７０にかけて径が縮小するテーパ部８１を備える。
【００２５】
円弧状部材１０は、図１及び図２に示すように、中心角が１８０°よりも大きな円弧状の内辺１１を有する。内辺１１の径は鍔部６２の外径よりも小さく、かつ円管部６３の外径と同等か又は円管部６３の外径よりも大きい。また、図１（ｄ）に示す円弧状部材１０の内辺１１から外辺１２へ移行する部分１３で構成される開口部１４の最小幅は、図２（ｂ）に示すように、円管部６３の外径よりも小さい。
【００２６】
開口部１４を構成する部分１３から内辺１１及び外辺１２へかけて所定の曲率が付与されている。これにより、開口部１４を円管部６３に押し当てたときに、開口部１４が円管部６３を越えて、円弧状部材１０が円管部６３に嵌まるのを容易にしている。
【００２７】
円弧状部材２０は図１（ｅ）及び図２に示すように、中心角が１８０°よりも大きく、そして径が輸液チューブ７０の外径よりも大きくかつテーパ部８１の最大径よりも小さい円弧状の内辺２１を有する。円弧状部材２０の内辺２１から外辺２２へ移行する部分２３で構成される開口部２４は、輸液チューブ７０が通過し得る幅を有する。つまり最小幅が輸液チューブ７０の外径とほぼ同等か、又は該外形より若干大きい。
【００２８】
開口部２４を構成する部分２３から内辺２１及び外辺２２へかけて所定の曲率が付与されている。また、開口部２４の幅は、外辺２２に近いほど大きくなっている。これにより輸液チューブ７０が開口部２４を経て円弧状部材２０内に嵌まるのを容易にしている。
【００２９】
接続緩み防止具１００は、コネクタ４０の接続が確立されたとき、円弧状部材２０がメス型コネクタ８０のテーパ部８１を内辺２１により支持し、円弧状部材１０が弾性変形を経て円管部６３を包囲し、かつ鍔部６２に接するように、コネクタ４０に取り付けられるようになっている。
【００３０】
つまり、円弧状部材１０及び円弧状部材２０間の間隔は、このような取付けを可能とするような寸法に設定されている。また、円弧状部材１０は、図１に示すように、内辺１１の円弧形状を含む面に垂直でかつ該円弧形状の中心を通る軸Ｘの方向に沿った外側に向かって径が拡大し、かつ軸Ｘを中心とする部分テーパ面１５を備える。
【００３１】
部分テーパ面１５の最大径は鍔部６２の径より大きい。そして円弧状部材１０は、部分テーパ面１５の側が鍔部６２の円管部６３とは反対の側に押し当てられたとき、部分テーパ面１５が鍔部６２から受ける力により弾性的に拡大し、鍔部６２を乗り越え、円管部６３側へ移動し、そして元の状態に縮小することにより、円管部６３を包囲する。円弧状部材１０及びこれに隣接する連結部材３０の部分は、このような弾性変形を可能とする材料により構成される。
【００３２】
また、鍔部６２の円管部６３とは反対の側には、鍔部６２にかけて径が拡大するテーパ面６４が設けられている。テーパ面６４は、上述のように円弧状部材１０が鍔部６２に押し当てられたとき、部分テーパ面１５の軸が鍔部６２の軸に一致するように部分テーパ面１５を案内し、円弧状部材１０が鍔部６２を乗り越えるのを補助する。
【００３３】
また、円弧状部材１０は、このように鍔部６２に対して押し当てられる代わりに、開口部１４が円管部６３に対し、円管部６３の軸に垂直な方向に押し当てられたとき、弾性変形して開口部１４が円管部６３を乗り越え、そして元の状態に戻ることにより、円管部６３を包囲することもできる。
【００３４】
連結部材３０は、図１に示されるように、円弧状部材１０及び円弧状部材２０に平行な断面が、半円及び該半円の両端から平行に伸びた平行線により構成されるＵ字状の形状を有する。そして、該半円の中心は円弧状部材１０及び円弧状部材２０の内辺１１及び２１の円弧形状の中心を通る軸Ｘ上に位置する。該半円の径は、メス型コネクタ８０の外形に適合するように、軸Ｘに沿った位置に応じて変化している。
【００３５】
円弧状部材１０の外辺１２は、連結部材３０に接続しているＵ字状部分１２ａと、Ｕ字状部分１２ａから開口部１４を構成する部分１３までの間に存在する２つの直線状部分１２ｂとで構成される。２つの直線状部分１２ｂは一直線上に位置する。円弧状部材２０の外辺２２も同様のＵ字状部分２２ａ及び直線状部分２２ｂで構成される。連結部材３０の長さ方向両端のＵ字状の部分は、それぞれＵ字状部分１２ａ及び２２ａに接続している。
【００３６】
このようにして、連結部材３０はその内側に、メス型コネクタ８０を、テーパ部８１を円弧状部材２０の内辺２１が支持するように配置することができる形状を有する。また、このようにしてメス型コネクタ８０を連結部材３０内に配置したとき、メス型コネクタ８０の外形に連結部材３０の内形が適合し、かつ上述の軸Ｘ上にメス型コネクタ８０の軸が一致する。
【００３７】
図３（ａ）〜（ｃ）は、コネクタ４０による接続を確立しながら、接続緩み防止具１００をコネクタ４０に装着する手順を示す。同図（ｄ）は、同図（ａ）における接続緩み防止具１００の円弧状部材１０を矢印Ａの方向から見た様子を示している。円弧状部材１０は上述のように弾性変形する素材により構成され、同図（ｄ）のように部分テーパ面１５が設けられているので、鍔部６２に押し当てられた場合、内辺１１の径が拡大し、鍔部６２を容易に乗り越えるようになっている。
【００３８】
コネクタ４０による接続を確立しながら接続緩み防止具１００を装着するためには、操作者はまず、同図（ａ）に示すように、接続緩み防止具１００を、図１（ｃ）で示される裏面側から、接続前のメス型コネクタ８０に対し、矢印Ｂのように被せる。このとき、輸液チューブ７０を円弧状部材２０の開口部２４（図１（ｅ））に通して内辺２１により包囲し、メス型コネクタ８０下端のテーパ部８１を内辺２１で支持する。
【００３９】
次に、同図（ｂ）に示すように、接続緩み防止具１００を、メス型コネクタ８０とともに、円弧状部材１０側を先頭としてオス型コネクタ６０の方へ移動させることにより、オス型コネクタ６０をメス型コネクタ８０に嵌合させる。このとき、円弧状部材１０が鍔部６２に接触するので、さらに接続緩み防止具１００を鍔部６２の方へ押圧する。これにより円弧状部材１０は弾性変形して拡大し、鍔部６２を乗り越え、そして縮小する。
【００４０】
これにより、同図（ｃ）のように、円弧状部材１０は円管部６３を包囲するとともに鍔部６２の円管部６３側に接触した状態となり、コネクタ４０による接続の確立と、接続緩み防止具１００の装着が完了する。
【００４１】
このとき、オス型コネクタ６０とメス型コネクタ８０とが接続しており、かつメス型コネクタ８０下端のテーパ部８１が円弧状部材２０の内辺２１で支持されているので、オス型コネクタ６０及びメス型コネクタ８０はその軸方向において円弧状部材１０及び円弧状部材２０により挟まれ、固定された状態となる。これにより、オス型コネクタ６０及びメス型コネクタ８０が軸方向に離れる方向に移動するのが阻止され、オス型コネクタ６０及びメス型コネクタ８０の接続の緩みが防止される。
【００４２】
一方、このように接続を確立しながら接続緩み防止具１００を装着する代わりに、接続を確立してから、接続緩み防止具１００を装着するようにしてもよい。この場合、操作者はまず、メス型コネクタ８０を従来のようにそのままオス型コネクタ６０に接続させる。次に、接続緩み防止具１００を装着する。
【００４３】
すなわち、円弧状部材２０の開口部２４から円弧状部材２０内に輸液チューブ７０を通し、円弧状部材２０の内辺２１によりメス型コネクタ８０下端のテーパ部８１を支持させる。これと並行して、接続しているメス型コネクタ８０及びオス型コネクタ６０を接続緩み防止具１００内に収容しながら、円弧状部材１０の開口部１４を円管部６３に押し当てる。
【００４４】
これにより、円弧状部材１０が弾性変形して開口部１４が拡大し、円管部６３を乗り越え、そして縮小する。この結果、円弧状部材１０は円管部６３を包囲するとともに鍔部６２に接することになる。これにより、図３（ｃ）で示される状態と同じ状態となり、接続緩み防止具１００の装着が完了する。
【００４５】
この場合も、接続の確立及び接続緩み防止具１００の装着を同時に行った場合と同様にオス型コネクタ６０及びメス型コネクタ８０は円弧状部材１０及び円弧状部材２０により挟まれて固定された状態となり、オス型コネクタ６０及びメス型コネクタ８０の接続の緩みが防止される。
【００４６】
装着された接続緩み防止具１００の取り外しは、接続緩み防止具１００を、円弧状部材１０及び円弧状部材２０の開口部１４及び開口部２４とは反対側の方向、すなわち図３（ｃ）において示される矢印Ｃの方向へ引くことにより行うことができる。
【００４７】
接続緩み防止具１００が矢印Ｃ方向へ引かれると、円弧状部材１０は弾性変形して開口部１４が拡大し、開口部１４を経て円管部６３から分離する。これにより、円弧状部材２０もメス型コネクタ８０下端のテーパ部８１から分離する。このとき、開口部２４をチューブ７０が通過し、円弧状部材２０はチューブ７０からも分離する。これにより、接続緩み防止具１００の取り外しが完了する。
【００４８】
本実施形態によれば、接続緩み防止具１００を所定形状の円弧状部材１０及び円弧状部材２０により構成し、コネクタ４０の接続が確立されたとき、円弧状部材２０がメス型コネクタ８０のテーパ部８１を内辺２１により支持し、円弧状部材１０が弾性変形を経て円管部６３を包囲し、かつ鍔部６２に接するように、コネクタ４０に取り付けるようにしたため、接続緩み防止具１００を、簡便でコンパクトなものとすることができる。
【００４９】
また、円弧状部材１０に部分テーパ面１５を設け、円弧状部材１０が鍔部６２に押し当てられたとき、弾性的に拡大して鍔部６２を乗り越え、円管部６３を包囲するようにしたため、接続緩み防止具１００内にメス型コネクタ８０を配置し、メス型コネクタ８０がオス型コネクタ６０に接続する方向に接続緩み防止具１００を押圧するだけで、コネクタ４０の接続及び接続緩み防止具１００の装着を同時に行うことができる。
【００５０】
また、円弧状部材１０の開口部１４が円管部６３に押し当てられたとき、円弧状部材１０が弾性変形し、開口部１４が鍔部６２を乗り越えて円管部６３を包囲するようにしたため、接続緩み防止具１００を、接続が確立したコネクタ４０に対し、横方向から装着することもできる。
【００５１】
また、連結部材３０はその内側に、メス型コネクタ８０を、円弧状部材２０の内辺２１がテーパ部８１を支持するように配置したとき、メス型コネクタ８０の外形に連結部材３０の内形が適合し、かつ円弧状部材１０の内辺１１の中心及び円弧状部材２０の内辺２１の中心を通る軸Ｘ上にメス型コネクタ８０の軸が一致するようにしたため、コネクタ４０の接続及び接続緩み防止具１００の装着を同時に行う操作を、極めて容易に行うことができる。
【００５２】
なお、本考案は上述の実施形態に限定されることなく適宜変形して実施することができる。たとえば、上述においては、連結部材３０の形状を、コネクタ４０の接続及び接続緩み防止具１００の装着を同時に行うのに適した形状のものとしているが、接続緩み防止具１００を、接続が確立したコネクタ４０に対し、横方向から装着するだけで足りる場合には、連結部材３０の形状は上述の形状に限定されず、より簡単な形状のものとすることができる。
【符号の説明】
【００５３】
１０，２０…円弧状部材、１１，２１…内辺、１２，２２…外辺、１４，２４…開口部、４０…コネクタ、５０…輸液容器、６０…オス型コネクタ、６２…鍔部、６３…円管部、７０…輸液チューブ、８０…メス型コネクタ、８１…テーパ部、１００…接続緩み防止具。
【図１】
0003166298.tif 000003
【図２】
0003166298.tif 000004
【図３】
0003166298.tif 000005